【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得する取得部と、  前記地番情報と、前記更新地目情報及び前記更新地積情報の少なくともいずれかと、を関連付けて記憶部に記憶させる記憶制御部と、  前記地番情報に対応する前記地番ごとに、前記記憶部に記憶された前記更新地目情報及び前記更新地積情報の少なくともいずれかに基づいて、更新後の課税標準額を算出する算出部と、  を備える課税標準額算出装置。
【請求項２】
前記算出部は、前記課税標準額の算出日として指定された日の前の、前記算出日に最も近い日に更新された前記更新地目情報及び前記更新地積情報の少なくともいずれかに基づいて、前記更新後の課税標準額を算出する、  請求項１に記載の課税標準額算出装置。
【請求項３】
前記地目情報及び前記地積情報の少なくともいずれかに異動があったことを検出する差異検出部をさらに備える、  請求項１又は２に記載の課税標準額算出装置。
【請求項４】
前記差異検出部は、前記更新地目情報と前記地番情報に関連付けて記憶部に記憶されている前記地目情報との差異、及び前記更新地積情報と前記地番情報に関連付けて記憶部に記憶されている前記地積情報との差異の少なくともいずれかの差異を検出することにより、前記地目情報及び前記地積情報の少なくともいずれかに異動があったことを検出する、  請求項３に記載の課税標準額算出装置。
【請求項５】
前記差異検出部が前記異動を検出する前の前記地目情報及び前記地積情報に対応する前記課税標準額と、更新後の前記更新地目情報及び前記更新地積情報の少なくともいずれかに対応する前記更新後の課税標準額とを出力する出力部をさらに備える、  請求項４に記載の課税標準額算出装置。
【請求項６】
コンピュータにより実行される、 筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得するステップと、 前記地番情報と、前記更新地目情報及び前記更新地積情報の少なくともいずれかと、を関連付けて記憶部に記憶させるステップと、 前記地番情報に対応する前記地番ごとに、前記記憶部に記憶された前記更新地目情報及び前記更新地積情報の少なくともいずれかに基づいて、更新後の課税標準額を算出するステップと、 を含む課税標準額算出方法。
【請求項７】
コンピュータに、 筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得するステップと、 前記地番情報と、前記更新地目情報及び前記更新地積情報の少なくともいずれかと、を関連付けて記憶部に記憶させるステップと、 前記地番情報に対応する前記地番ごとに、前記記憶部に記憶された前記更新地目情報及び前記更新地積情報の少なくともいずれかに基づいて、更新後の課税標準額を算出するステップと、 を実行させる課税標準額算出用プログラム。
【手続補正２】
【補正対象書類名】明細書
【補正対象項目名】発明の名称
【補正方法】変更
【補正の内容】
【発明の名称】課税標準額算出装置、課税標準額算出方法及び課税標準額算出用プロ
グラム
【手続補正３】
【補正対象書類名】明細書
【補正対象項目名】０００１
【補正方法】変更
【補正の内容】
【０００１】  本発明は、固定資産税額の算出に用いられる課税標準額を算出するための課税標準額算出装置、課税標準額算出方法及び課税標準額算出用プログラムに関する。
【手続補正４】
【補正対象書類名】明細書
【補正対象項目名】０００６
【補正方法】変更
【補正の内容】
【０００６】  ところが、土地の地目の変更情報、土地の所有権移転情報、土地の分合筆情報などの土地の異動に関する情報及び評価情報は、職員によって課税標準額管理装置に入力されていた。したがって、課税標準額管理装置における課税標準額の算出に用いられる地目、地積等の異動に関する情報及び評価情報には誤りが発生している場合があり、誤った異動情報及び評価情報に基づいて算出される課税標準額にも誤りが生じる場合があった。課税標準額は、膨大な数の筆ごとに算出されるので、異動が発生した時に誤りなく課税標準額を算出することが困難であった。
【手続補正５】
【補正対象書類名】明細書
【補正対象項目名】０００７
【補正方法】変更
【補正の内容】
【０００７】  そこで、本発明はこれらの点に鑑みてなされたものであり、異動が発生した後の課税標準額を算出することができる課税標準額算出装置、課税標準額算出方法及び課税標準額算出用プログラムを提供することを目的とする。
【手続補正６】
【補正対象書類名】明細書
【補正対象項目名】０００８
【補正方法】変更
【補正の内容】
【０００８】 本発明の第１の態様においては、筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得する取得部と、前記地番情報と、前記更新地目情報及び前記更新地積情報の少なくともいずれかと、を関連付けて記憶部に記憶させる記憶制御部と、前記地番情報に対応する前記地番ごとに、前記記憶部に記憶された前記更新地目情報及び前記更新地積情報の少なくともいずれかに基づいて、更新後の課税標準額を算出する算出部と、を備える課税標準額算出装置を提供する。
【手続補正７】
【補正対象書類名】明細書
【補正対象項目名】０００９
【補正方法】変更
【補正の内容】
【０００９】 前記算出部は、前記課税標準額の算出日として指定された日の前の、前記算出日に最も近い日に更新された前記更新地目情報及び前記更新地積情報の少なくともいずれかに基づいて、前記更新後の課税標準額を算出してもよい。
【手続補正８】
【補正対象書類名】明細書
【補正対象項目名】００１０
【補正方法】変更
【補正の内容】
【００１０】 前記課税標準額算出装置は、前記地目情報及び前記地積情報の少なくともいずれかに異動があったことを検出する差異検出部をさらに備えてもよい。
【手続補正９】
【補正対象書類名】明細書
【補正対象項目名】００１１
【補正方法】変更
【補正の内容】
【００１１】 前記差異検出部は、前記更新地目情報と前記地番情報に関連付けて記憶部に記憶されている前記地目情報との差異、及び前記更新地積情報と前記地番情報に関連付けて記憶部に記憶されている前記地積情報との差異の少なくともいずれかの差異を検出することにより、前記地目情報及び前記地積情報の少なくともいずれかに異動があったことを検出してもよい。
【手続補正１０】
【補正対象書類名】明細書
【補正対象項目名】００１２
【補正方法】変更
【補正の内容】
【００１２】 前記課税標準額算出装置は、前記差異検出部が前記異動を検出する前の前記地目情報及び前記地積情報に対応する前記課税標準額と、更新後の前記更新地目情報及び前記更新地積情報の少なくともいずれかに対応する前記更新後の課税標準額とを出力する出力部をさらに備えてもよい。
【手続補正１１】
【補正対象書類名】明細書
【補正対象項目名】００１３
【補正方法】変更
【補正の内容】
【００１３】 本発明の第２の態様においては、コンピュータにより実行される、筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得するステップと、前記地番情報と、前記更新地目情報及び前記更新地積情報の少なくともいずれかと、を関連付けて記憶部に記憶させるステップと、前記地番情報に対応する前記地番ごとに、前記記憶部に記憶された前記更新地目情報及び前記更新地積情報の少なくともいずれかに基づいて、更新後の課税標準額を算出するステップと、を含む課税標準額算出方法を提供する。
【手続補正１２】
【補正対象書類名】明細書
【補正対象項目名】００１４
【補正方法】変更
【補正の内容】
【００１４】 本発明の第３の態様においては、コンピュータに、筆の地番を示す地番情報と、当該地番に対応する前記筆の課税標準額の算出に用いられる地目情報及び地積情報の少なくともいずれかが更新された後の更新地目情報及び更新地積情報の少なくともいずれかと、を取得するステップと、前記地番情報と、前記更新地目情報及び前記更新地積情報の少なくともいずれかと、を関連付けて記憶部に記憶させるステップと、前記地番情報に対応する前記地番ごとに、前記記憶部に記憶された前記更新地目情報及び前記更新地積情報の少なくともいずれかに基づいて、更新後の課税標準額を算出するステップと、を実行させる課税標準額算出用プログラムを提供する。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】 本発明によれば、地目情報や地積情報が更新された場合に、新たな課税標準額を容易に算出することができるという効果を奏する。